(57)【要約】【課題】オーバヘッドの増加を抑制しつつ、「Ｐａｇｉｎｇ」メッセージを用いて、ＳＩが変更されるセルを通知する。【解決手段】本発明に係る移動通信方法は、無線基地局ｅＮＢが、移動局ＵＥに対して、Ｓｃｅｌｌの各々に対応するビット位置を示すビットマップ情報を通知する工程Ａと、無線基地局ｅＮＢが、配下の特定セルにおけるＳＩを変更する場合、特定セルに対応するビット位置にフラグが設定された所定情報を含む「Ｐａｇｉｎｇ」メッセージを送信する工程Ｂと、移動局ＵＥが、Ｐｃｅｌｌにおいて、「Ｐａｇｉｎｇ」メッセージを受信する工程Ｃと、移動局ＵＥが、上述のビットマップ情報に基づいて、フラグのビット位置がＳｃｅｌｌに対応するビット位置に一致した場合に、かかるＳｃｅｌｌにおいて、ＳＩを受信する工程Ｄとを有する。【選択図】図８
2011234252.tif 000002
【特許請求の範囲】
【請求項１】
移動局が、主キャリア及び該主キャリアと搬送波周波数が異なる１つ又は複数の副キャリアを用いた通信を行っている場合に、該主キャリアのサービングセル及び該副キャリアのサービングセルにおいて報知情報を受信する移動通信方法であって、
無線基地局が、前記移動局に対して、前記副キャリアのサービングセルの各々に対応するビット位置を示すビットマップ情報を通知する工程Ａと、
前記無線基地局が、配下の特定セルにおける報知情報を変更する場合、該特定セルに対応するビット位置にフラグが設定された所定情報を含むページングメッセージを送信する工程Ｂと、
前記移動局が、前記主キャリアのサービングセルにおいて、前記ページングメッセージを受信する工程Ｃと、
前記移動局が、前記ビットマップ情報に基づいて、前記フラグのビット位置が前記副キャリアのサービングセルに対応するビット位置に一致した場合に、該副キャリアのサービングセルにおいて、前記報知情報を受信する工程Ｄとを有することを特徴とする移動通信方法。
【請求項２】
前記工程Ａにおいて、前記無線基地局は、前記通信において、新規に副キャリアを追加する際に、前記ビットマップ情報を通知することを特徴とする請求項１に記載の移動通信方法。
【請求項３】
前記工程Ａにおいて、前記無線基地局は、前記通信において用いられている前記副キャリアの設定情報を変更する際に、前記ビットマップ情報を通知することを特徴とする請求項１に記載の移動通信方法。
【請求項４】
前記工程Ａにおいて、前記無線基地局は、前記通信において用いられる前記主キャリアを変更する際に、前記ビットマップ情報を通知することを特徴とする請求項１に記載の移動通信方法。
【請求項５】
移動局が、主キャリア及び該主キャリアと搬送波周波数が異なる１つ又は複数の副キャリアを用いた通信を行っている場合に、該主キャリアのサービングセル及び該副キャリアのサービングセルにおいて報知情報を受信するように構成されている移動通信システムにおいて用いられる無線基地局であって、
前記移動局に対して、前記副キャリアのサービングセルの各々に対応するビット位置を示すビットマップ情報を通知するように構成されている通知部と、
配下の特定セルにおける報知情報を変更する場合、該特定セルに対応するビット位置にフラグが設定された所定情報を含むページングメッセージを送信するように構成されているページングメッセージ送信部とを具備することを特徴とする無線基地局。
【請求項６】
前記通知部は、前記通信において、新規に副キャリアを追加する際に、前記ビットマップ情報を通知するように構成されていることを特徴とする請求項５に記載の無線基地局。
【請求項７】
前記通知部は、前記通信において、前記通信において用いられている前記副キャリアの設定情報を変更する際に、前記ビットマップ情報を通知するように構成されていることを特徴とする請求項５に記載の無線基地局。
【請求項８】
前記通知部は、前記通信において用いられる前記主キャリアを変更する際に、前記ビットマップ情報を通知するように構成されていることを特徴とする請求項５に記載の無線基地局。
【請求項９】
主キャリア及び該主キャリアと搬送波周波数が異なる１つ又は複数の副キャリアを用いた通信を行っている場合に、該主キャリアのサービングセル及び該副キャリアのサービングセルにおいて報知情報を受信するように構成されている移動局であって、
無線基地局から、前記副キャリアのサービングセルの各々に対応するビット位置を示すビットマップ情報を受信するように構成されている受信部と、
前記主キャリアのサービングセルにおいて、ページングメッセージを受信するように構成されているページングメッセージ受信部と、
前記ビットマップ情報に基づいて、前記ページングメッセージ内の所定情報において前記副キャリアのサービングセルに対応するビット位置にフラグが設定されていると判断した場合に、該副キャリアのサービングセルにおいて、報知情報を受信するように構成されている報知情報受信部とを具備することを特徴とする移動局。
【請求項１０】
移動局が、主キャリア及び該主キャリアと搬送波周波数が異なる１つ又は複数の副キャリアを用いた通信を行っている場合に、該主キャリアのサービングセル及び該副キャリアのサービングセルにおいて報知情報を受信する移動通信方法であって、
無線基地局が、前記移動局に対して、前記副キャリアのサービングセルの各々を一意に特定可能なセルＩＤを通知する工程Ａと、
前記無線基地局が、配下の特定セルにおける報知情報を変更する場合、該特定セルを特定するセルＩＤを含むページングメッセージを送信する工程Ｂと、
前記移動局が、前記主キャリアのサービングセルにおいて、前記ページングメッセージを受信する工程Ｃと、
前記移動局が、前記ページングメッセージに含まれるセルＩＤが前記副キャリアのサービングセルに対応するセルＩＤに一致した場合に、該副キャリアのサービングセルにおいて、前記報知情報を受信する工程Ｄとを有することを特徴とする移動通信方法。
【請求項１１】
移動局が、主キャリア及び該主キャリアと搬送波周波数が異なる１つ又は複数の副キャリアを用いた通信を行っている場合に、該主キャリアのサービングセル及び該副キャリアのサービングセルにおいて報知情報を受信するように構成されている移動通信システムにおいて用いられる無線基地局であって、
前記移動局に対して、前記副キャリアのサービングセルの各々を一意に特定可能なセルＩＤを通知するように構成されている通知部と、
配下の特定セルにおける報知情報を変更する場合、該特定セルを特定するセルＩＤを含むページングメッセージを送信するように構成されているページングメッセージ送信部とを具備することを特徴とする無線基地局。
【請求項１２】
主キャリア及び該主キャリアと搬送波周波数が異なる１つ又は複数の副キャリアを用いた通信を行っている場合に、該主キャリアのサービングセル及び該副キャリアのサービングセルにおいて報知情報を受信するように構成されている移動局であって、
無線基地局から、前記副キャリアのサービングセルの各々を一意に特定可能なセルＩＤを受信するように構成されている受信部と、
前記主キャリアのサービングセルにおいて、ページングメッセージを受信するように構成されているページングメッセージ受信部と、
前記ページングメッセージ内に含まれているセルＩＤが前記副キャリアのサービングセルに対応するセルＩＤに一致した場合に、該副キャリアのサービングセルにおいて、報知情報を受信するように構成されている報知情報受信部とを具備することを特徴とする移動局。
【発明の詳細な説明】
【技術分野】
【０００１】
本発明は、移動通信方法、無線基地局及び移動局に関する。
【背景技術】
【０００２】
ＬＴＥ（Ｌｏｎｇ  Ｔｅｒｍ  Ｅｖｏｌｕｔｉｏｎ）  Ｒｅｌｅａｓｅ-８方式では、ＲＲＣ_Ｃｏｎｎｅｃｔｅｄ状態の移動局ＵＥに対して、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）１やＳＩＢ２等を含むＳＩ（Ｓｙｓｔｅｍ  Ｉｎｆｒｏｍａｔｉｏｎ）の変更を通知する方法として、「Ｐａｇｉｎｇ」メッセージを用いる方法と「Ｖａｌｕｅ  Ｔａｇ」を用いる方法が知られている。
【０００３】
「Ｐａｇｉｎｇ」メッセージを用いる方法では、ＲＲＣ_Ｃｏｎｎｅｃｔｅｄ状態の移動局ＵＥは、「ＳＩ  ｍｏｄｉｆｉｃａｔｉｏｎ  ｐｅｒｉｏｄ」に、Ｎ回、ＰＣＨ（Ｐａｇｉｎｇ  Ｃｈａｎｎｅｌ）を介して「Ｐａｇｉｎｇ」メッセージを受信するように構成されている。
【０００４】
ここで、「ＳＩ  ｍｏｄｉｆｉｃａｔｉｏｎ  ｐｅｒｉｏｄ」は、「ｄｅｆａｕｌｔ  ｐａｇｉｎｇ  ＤＲＸ  ｃｙｃｌｅ」のＮ倍である。「Ｎ」は、ＳＩＢ２にて報知されるパラメータである。
【０００５】
なお、無線基地局ｅＮＢは、ＳＩに変更があった場合、「Ｐａｇｉｎｇ」メッセージ内の１ビットによって、その旨を通知する。
【０００６】
移動局ＵＥは、ＳＩの変更を示す１ビットのフラグが設定されている「Ｐａｇｉｎｇ」メッセージを受信すると、その後、次の「ＳＩ  ｍｏｄｉｆｉｃａｔｉｏｎ  ｂｏｕｎｄａｒｙ」の先頭から、ＢＣＣＨ（Ｂｒｏａｄｃａｓｔ  Ｃｈａｎｎｅｌ）を介して、ＳＩを受信するように構成されている。
【０００７】
また、３ＧＰＰでは、ＬＴＥ  Ｒｅｌｅａｓｅ-１０方式において、ＣＡ（Ｃａｒｒｉｅｒ  Ａｇｇｒｉｇａｔｉｏｎ）通信が行われている場合、ＰＣＣ（Ｐｒｉｍａｒｙ  Ｃｏｍｐｏｎｅｎｔ  Ｃａｒｒｉｅｒ）のサービングセルである「Ｐｃｅｌｌ（Ｐｒｉｍａｒｙ  Ｃｅｌｌ）」におけるＳＩの変更に対しては、ＬＴＥ  Ｒｅｌｅａｓｅ-８方式と同様な「Ｐａｇｉｎｇ」メッセージを用いる方法を用いることが合意されている。
【先行技術文献】
【非特許文献】
【０００８】
【非特許文献１】３ＧＰＰ  ＴＳ３６.３３１  ｖ９.２.０
【発明の概要】
【発明が解決しようとする課題】
【０００９】
しかしながら、ＬＴＥ  Ｒｅｌｅａｓｅ-１０方式において、ＣＡ通信が行われている場合、ＳＣＣ（Ｓｅｃｏｎｄａｒｙ  Ｃｏｍｐｏｎｅｎｔ  Ｃａｒｒｉｅｒ）のサービングセルである「Ｓｃｅｌｌ（Ｓｅｃｏｎｄａｒｙ  Ｃｅｌｌ）」におけるＳＩの変更に対して、どのように対処すべきか決められていないという問題点があった。
【００１０】
ここで、「Ｐａｇｉｎｇ」メッセージを用いて、ＳＩが変更されたＳｃｅｌｌのＥＡＲＦＣＮ（Ｅ-ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）を通知する場合、ＥＡＲＦＣＮが１６ビットで構成されているため、オーバヘッドが大きくなってしまうという問題点がある。
【００１１】
特に、複数のＳｃｅｌｌのＳＩが同時に変更された場合、ＥＡＲＦＣＮのリストを通知する必要があり、オーバヘッドが大きくなってしまうという問題点がある。
【００１２】
特に、ＰＣＨに対しては、ＨＡＲＱが適用されないため、オーバヘッドが問題となる。
【００１３】
また、図１２（ａ）に示すような環境において、例えば、セル＃２１においてＳＩが変更された場合に、「Ｐａｇｉｎｇ」メッセージを用いて、セル＃２１のＥＡＲＦＣＮ＃２のみを通知すると、移動局ＵＥ＃２が、ＥＡＲＦＣＮ＃２が用いられているセル＃２３においてＳＩが変更されたと看做して、セル＃２３において、実際には変更されていないＳＩを受信してしまうという問題点がある。
【００１４】
同様に、図１２（ｂ）に示すような環境において、例えば、セル＃２１においてＳＩが変更された場合に、「Ｐａｇｉｎｇ」メッセージを用いて、セル＃２１のＥＡＲＦＣＮ＃２のみを通知すると、移動局ＵＥ＃２が、ＥＡＲＦＣＮ＃２が用いられているセル＃２２においてＳＩが変更されたと看做して、セル＃２２において、実際には変更されていないＳＩを受信してしまうという問題点がある。
【００１５】
なお、「Ｐａｇｉｎｇ」メッセージを用いて、ＳＩが変更されたセルのＥＡＲＦＣＮに加えて、かかるセルのＰＣＩ（Ｐｈｙｓｉｃａｌ  Ｃｅｌｌ  ＩＤ）を通知すると、ＰＣＩが９ビットで構成されているため、更にオーバヘッドが大きくなってしまうという問題点がある。
【００１６】
そこで、本発明は、上述の課題に鑑みてなされたものであり、オーバヘッドの増加を抑制しつつ、「Ｐａｇｉｎｇ」メッセージを用いて、ＳＩが変更されたセルを通知することができる移動通信方法、無線基地局及び移動局を提供することを目的とする。
【課題を解決するための手段】
【００１７】
本発明の第１の特徴は、移動局が、主キャリア及び該主キャリアと搬送波周波数が異なる１つ又は複数の副キャリアを用いた通信を行っている場合に、該主キャリアのサービングセル及び該副キャリアのサービングセルにおいて報知情報を受信する移動通信方法であって、無線基地局が、前記移動局に対して、前記副キャリアのサービングセルの各々に対応するビット位置を示すビットマップ情報を通知する工程Ａと、前記無線基地局が、配下の特定セルにおける報知情報を変更する場合、該特定セルに対応するビット位置にフラグが設定された所定情報を含むページングメッセージを送信する工程Ｂと、前記移動局が、前記主キャリアのサービングセルにおいて、前記ページングメッセージを受信する工程Ｃと、前記移動局が、前記ビットマップ情報に基づいて、前記フラグのビット位置が前記副キャリアのサービングセルに対応するビット位置に一致した場合に、該副キャリアのサービングセルにおいて、前記報知情報を受信する工程Ｄとを有することを要旨とする。
【００１８】
本発明の第２の特徴は、移動局が、主キャリア及び該主キャリアと搬送波周波数が異なる１つ又は複数の副キャリアを用いた通信を行っている場合に、該主キャリアのサービングセル及び該副キャリアのサービングセルにおいて報知情報を受信するように構成されている移動通信システムにおいて用いられる無線基地局であって、前記移動局に対して、前記副キャリアのサービングセルの各々に対応するビット位置を示すビットマップ情報を通知するように構成されている通知部と、配下の特定セルにおける報知情報を変更する場合、該特定セルに対応するビット位置にフラグが設定された所定情報を含むページングメッセージを送信するように構成されているページングメッセージ送信部とを具備することを要旨とする。
【００１９】
本発明の第３の特徴は、主キャリア及び該主キャリアと搬送波周波数が異なる１つ又は複数の副キャリアを用いた通信を行っている場合に、該主キャリアのサービングセル及び該副キャリアのサービングセルにおいて報知情報を受信するように構成されている移動局であって、無線基地局から、前記副キャリアのサービングセルの各々に対応するビット位置を示すビットマップ情報を受信するように構成されている受信部と、前記主キャリアのサービングセルにおいて、ページングメッセージを受信するように構成されているページングメッセージ受信部と、前記ビットマップ情報に基づいて、前記ページングメッセージ内の所定情報において前記副キャリアのサービングセルに対応するビット位置にフラグが設定されていると判断した場合に、該副キャリアのサービングセルにおいて、報知情報を受信するように構成されている報知情報受信部とを具備することを要旨とする。
【００２０】
本発明の第４の特徴は、移動局が、主キャリア及び該主キャリアと搬送波周波数が異なる１つ又は複数の副キャリアを用いた通信を行っている場合に、該主キャリアのサービングセル及び該副キャリアのサービングセルにおいて報知情報を受信する移動通信方法であって、無線基地局が、前記移動局に対して、前記副キャリアのサービングセルの各々を一意に特定可能なセルＩＤを通知する工程Ａと、前記無線基地局が、配下の特定セルにおける報知情報を変更する場合、該特定セルを特定するセルＩＤを含むページングメッセージを送信する工程Ｂと、前記移動局が、前記主キャリアのサービングセルにおいて、前記ページングメッセージを受信する工程Ｃと、前記移動局が、前記ページングメッセージに含まれるセルＩＤが前記副キャリアのサービングセルに対応するセルＩＤに一致した場合に、該副キャリアのサービングセルにおいて、前記報知情報を受信する工程Ｄとを有することを要旨とする。
【００２１】
本発明の第５の特徴は、移動局が、主キャリア及び該主キャリアと搬送波周波数が異なる１つ又は複数の副キャリアを用いた通信を行っている場合に、該主キャリアのサービングセル及び該副キャリアのサービングセルにおいて報知情報を受信するように構成されている移動通信システムにおいて用いられる無線基地局であって、前記移動局に対して、前記副キャリアのサービングセルの各々を一意に特定可能なセルＩＤを通知するように構成されている通知部と、配下の特定セルにおける報知情報を変更する場合、該特定セルを特定するセルＩＤを含むページングメッセージを送信するように構成されているページングメッセージ送信部とを具備することを要旨とする。
【００２２】
本発明の第６の特徴は、主キャリア及び該主キャリアと搬送波周波数が異なる１つ又は複数の副キャリアを用いた通信を行っている場合に、該主キャリアのサービングセル及び該副キャリアのサービングセルにおいて報知情報を受信するように構成されている移動局であって、無線基地局から、前記副キャリアのサービングセルの各々を一意に特定可能なセルＩＤを受信するように構成されている受信部と、前記主キャリアのサービングセルにおいて、ページングメッセージを受信するように構成されているページングメッセージ受信部と、前記ページングメッセージに含まれるセルＩＤが前記副キャリアのサービングセルに対応するセルＩＤに一致した場合に、該副キャリアのサービングセルにおいて、報知情報を受信するように構成されている報知情報受信部とを具備することを要旨とする。
【発明の効果】
【００２３】
以上説明したように、本発明によれば、オーバヘッドの増加を抑制しつつ、「Ｐａｇｉｎｇ」メッセージを用いて、ＳＩが変更されたセルを通知することができる移動通信方法、無線基地局及び移動局を提供することができる。
【図面の簡単な説明】
【００２４】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムで用いられる「ＲＲＲＣｏｎｎｅｃｔｉｏｎ  ｒｅｃｏｎｆｉｇｕｒａｔｉｏｎ」メッセージのフォーマットの一例を示す図である。
【図４】本発明の第１の実施形態に係る移動通信システムで用いられる「ＲＲＲＣｏｎｎｅｃｔｉｏｎ  ｒｅｃｏｎｆｉｇｕｒａｔｉｏｎ」メッセージのフォーマットの一例を示す図である。
【図５】本発明の第１の実施形態に係る移動通信システムで用いられる「Ｐａｇｉｎｇ」メッセージのフォーマットの一例を示す図である。
【図６】本発明の第１の実施形態に係る移動通信システムで用いられるメッセージ内のパラメータについて説明するための図である。
【図７】本発明の第１の実施形態に係る移動局の機能ブロック図である。
【図８】本発明の第１の実施形態に係る移動通信システムの動作を説明するためのシーケンス図である。
【図９】本発明の第２の実施形態に係る移動通信システムで用いられる「ＲＲＲＣｏｎｎｅｃｔｉｏｎ  ｒｅｃｏｎｆｉｇｕｒａｔｉｏｎ」メッセージのフォーマットの一例を示す図である。
【図１０】本発明の第２の実施形態に係る移動通信システムで用いられる「Ｐａｇｉｎｇ」メッセージのフォーマットの一例を示す図である。
【図１１】本発明の第２の実施形態に係る移動通信システムで用いられるメッセージ内のパラメータについて説明するための図である。
【図１２】従来の移動通信システムについて説明するための図である。
【発明を実施するための形態】
【００２５】
（本発明の第１の実施形態に係る移動通信システム）
図１乃至図８を参照して、本発明の第１の実施形態に係る移動通信システムの構成について説明する。本実施形態に係る移動通信システムは、ＬＴＥ-Ａｄｖａｎｃｅｄ方式（ＬＴＥ  Ｒｅｌｅａｓｅ-１０方式）の移動通信システムである。
【００２６】
本実施形態に係る移動通信システムでは、移動局ＵＥは、ＰＣＣ及びＰＣＣと搬送波周波数（ＥＡＲＦＣＮ）が異なる１つ又は複数のＳＣＣを用いたＣＡ通信を行うことができるように構成されている。
【００２７】
図１に示すように、本実施形態に係る移動通信システムでは、ＣＡ通信において、ＥＡＲＦＣＮ＃１乃至ＥＡＲＦＣＮ＃５のＣＣを用いることができるように構成されている。
【００２８】
本実施形態に係る移動通信システムでは、図１に示すように、移動局ＵＥは、ＥＡＲＦＣＮ＃１のＣＣを「ＰＣＣ」とし、ＥＡＲＦＣＮ＃２のＣＣを「ＳＣＣ＃１」とし、ＥＡＲＦＣＮ＃３のＣＣを「ＳＣＣ＃２」として、ＣＡ通信を行っている。
【００２９】
ここで、移動局ＵＥのＰＣＣにおけるサービングセルは、「Ｐｃｅｌｌ」であり、移動局ＵＥのＳＣＣ＃１におけるサービングセルは、「Ｓｃｅｌｌ＃１」であり、移動局ＵＥのＳＣＣ＃２におけるサービングセルは、「Ｓｃｅｌｌ＃２」である。
【００３０】
図２に示すように、無線基地局ｅＮＢは、ＲＲＣ（Ｒａｄｉｏ  Ｒｅｓｏｕｒｃｅ  Ｃｏｎｔｒｏｌ）メッセージ送信部１１と、ページングメッセージ送信部１２と、報知情報送信部１３とを具備している。
【００３１】
ＲＲＣメッセージ送信部１１は、ＲＲＣ_Ｃｏｎｎｅｃｔｅｄ状態の移動局ＵＥに対して、「ＲＲＣ  ｃｏｎｎｅｃｔｉｏｎ  Ｒｅｃｏｎｆｉｇｕｒａｔｉｏｎ」メッセージ等のＲＲＣメッセージを送信するように構成されている。
【００３２】
ここで、ＲＲＣメッセージ送信部１１は、かかる移動局ＵＥに対して、「ＲＲＣ  ｃｏｎｎｅｃｔｉｏｎ  Ｒｅｃｏｎｆｉｇｕｒａｔｉｏｎ」メッセージによって、移動局ＵＥのＳｃｅｌｌの各々に対応するビット位置を示すビットマップ情報を通知するように構成されていてもよい。
【００３３】
例えば、ＲＲＣメッセージ送信部１１は、図３に示すように、「ＲＲＣ  ｃｏｎｎｅｃｔｉｏｎ  Ｒｅｃｏｎｆｉｇｕｒａｔｉｏｎ」メッセージ内の情報要素「ＳｃｅｌｌＣｏｎｆｉｇ-ｒ１０」によって、かかるビットマップ情報を通知するように構成されていてもよい。
【００３４】
或いは、ＲＲＣメッセージ送信部１１は、図４に示すように、「ＲＲＣ  ｃｏｎｎｅｃｔｉｏｎ  Ｒｅｃｏｎｆｉｇｕｒａｔｉｏｎ」メッセージ内の情報要素「ＳＩ-ＣｈａｎｇｅＢｉｔｍａｐＣｏｎｆｉｇ-ｒ１０」によって、かかるビットマップ情報を通知するように構成されていてもよい。
【００３５】
ここで、ＲＲＣメッセージ送信部１１は、ＣＡ通信において、新規にＳＣＣを追加する際に、上述のビットマップ情報を通知するように構成されていてもよい。
【００３６】
また、ＲＲＣメッセージ送信部１１は、ＣＡ通信において用いられているＳＣＣの設定情報を変更する際に、上述のビットマップ情報を通知するように構成されていてもよい。
【００３７】
さらに、ＲＲＣメッセージ送信部１１は、ＣＡ通信において用いられるＰＣＣを変更する際に、上述のビットマップ情報を通知するように構成されていてもよい。
【００３８】
ページングメッセージ送信部１２は、配下の特定セルにおけるＳＩが変更された場合、情報要素「Ｐａｇｉｎｇ-ｖ１０ｘ０-ＩＥｓ」を含む「Ｐａｇｉｎｇ」メッセージを送信するように構成されている。
【００３９】
かかる場合、具体的には、ページングメッセージ送信部１２は、「ｓｉ-ＣｈａｎｇｅＢｉｔｍａｐ-ｒ１０」に、特定セルに対応するビット位置にフラグ「１」が設定された所定情報（所定数のビット列）を設定するように構成されている。
【００４０】
ここで、図６に、本実施形態に係る移動通信システムで用いられる「ＲＲＣ  ｃｏｎｎｅｃｔｉｏｎ  Ｒｅｃｏｎｆｉｇｕｒａｔｉｏｎ」メッセージ及びＰａｇｉｎｇ」メッセージ内に設定されるパラメータの意味を示す。
【００４１】
図７に示すように、移動局ＵＥは、ＲＲＣメッセージ受信部２１と、ページングメッセージ受信部２２と、報知情報受信部２３とを具備している。
【００４２】
ＲＲＣメッセージ受信部２１は、移動局ＵＥが、ＲＲＣ_Ｃｏｎｎｅｃｔｅｄ状態である場合に、無線基地局ｅＮＢから、「ＲＲＣ  ｃｏｎｎｅｃｔｉｏｎ  Ｒｅｃｏｎｆｉｇｕｒａｔｉｏｎ」メッセージ等のＲＲＣメッセージを受信するように構成されている。
【００４３】
例えば、ＲＲＣメッセージ受信部２１は、「ＲＲＣ  ｃｏｎｎｅｃｔｉｏｎ  Ｒｅｃｏｎｆｉｇｕｒａｔｉｏｎ」メッセージによって、移動局ＵＥのＳｃｅｌｌの各々に対応するビット位置を示すビットマップ情報を受信するように構成されていてもよい。
【００４４】
ページングメッセージ受信部２２は、Ｐｃｅｌｌにおいて、「Ｐａｇｉｎｇ」メッセージを受信するように構成されている。
【００４５】
報知情報受信部２３は、上述のビットマップ情報に基づいて、「Ｐａｇｉｎｇ」メッセージ内の所定情報「ｓｉ-ＣｈａｎｇｅＢｉｔｍａｐ-ｒ１０」において、Ｓｃｅｌｌに対応するビット位置にフラグが設定されていると判断した場合に、Ｓｃｅｌｌにおいて、次の「ＳＩ  ｍｏｄｉｆｉｃａｔｉｏｎ  ｂｏｕｎｄａｒｙ」の先頭から、ＢＣＣＨを介して、変更されたＳＩを受信するように構成されている。
【００４６】
図８を参照して、本発明の第１の実施形態に係る移動通信システムの動作について説明する。
【００４７】
図８に示すように、移動局ＵＥが、ＣＡ通信において、新規にＳＣＣを追加する際に、ステップＳ１００１において、無線基地局ｅＮＢ内のＰｃｅｌｌを制御する機能は、Ｐｃｅｌｌにおいて、移動局ＵＥに対して、追加するＳＣＣのセルに対応するビット位置が追加されたビットマップ情報を含む「ＲＲＣ  ｃｏｎｎｅｃｔｉｏｎ  Ｒｅｃｏｎｆｉｇｕｒａｔｉｏｎ」メッセージを送信する。
【００４８】
ステップＳ１００２において、移動局ＵＥは、無線基地局ｅＮＢに対して、「ＲＲＣ  ｃｏｎｎｅｃｔｉｏｎ  Ｒｅｃｏｎｆｉｇｕｒａｔｉｏｎ  Ｃｏｍｐｌｅｔｅ」メッセージを送信する。
【００４９】
無線基地局ｅＮＢ内のＳｃｅｌｌを制御する機能は、ステップＳ１０１０において、ＳｃｅｌｌにおいてＳＩの変更が要求された場合、ステップＳ１０１１において、無線基地局ｅＮＢ内のＰｃｅｌｌを制御する機能に対して、「Ｐｒｉｍｉｔｉｖｅ」を送信し、ステップＳ１０１２において、無線基地局ｅＮＢ内のＰｃｅｌｌを制御する機能は、Ｐｃｅｌｌにおいて、Ｓｃｅｌｌに対応するビット位置にフラグ「１」が設定された所定情報「ｓｉ-ＣｈａｎｇｅＢｉｔｍａｐ-ｒ１０」を含む「Ｐａｇｉｎｇ」メッセージを送信する。
【００５０】
ステップＳ１０１４において、移動局ＵＥは、上述のビットマップ情報に基づいて、「Ｐａｇｉｎｇ」メッセージ内の所定情報「ｓｉ-ＣｈａｎｇｅＢｉｔｍａｐ-ｒ１０」において、Ｓｃｅｌｌに対応するビット位置にフラグ「１」が設定されていると判断し、Ｓｃｅｌｌにおいて、次の「ＳＩ  ｍｏｄｉｆｉｃａｔｉｏｎ  ｂｏｕｎｄａｒｙ」の先頭から、ＢＣＣＨを介して、変更されたＳＩを受信する。
【００５１】
一方、無線基地局ｅＮＢ内のセル（移動局ＵＥのＣＡ通信で用いられていないセル）を制御する機能は、ステップＳ１０２０において、かかるセルにおいてＳＩの変更が要求された場合、ステップＳ１０２１において、無線基地局ｅＮＢ内のＰｃｅｌｌを制御する機能に対して、「Ｐｒｉｍｉｔｉｖｅ」を送信し、ステップＳ１０２２において、無線基地局ｅＮＢ内のＰｃｅｌｌを制御する機能は、Ｐｃｅｌｌにおいて、かかるセルに対応するビット位置にフラグ「１」が設定された所定情報「ｓｉ-ＣｈａｎｇｅＢｉｔｍａｐ-ｒ１０」を含む「Ｐａｇｉｎｇ」メッセージを送信する。
【００５２】
ステップＳ１０２４において、移動局ＵＥは、上述のビットマップ情報に基づいて、「Ｐａｇｉｎｇ」メッセージ内の所定情報「ｓｉ-ＣｈａｎｇｅＢｉｔｍａｐ-ｒ１０」において、Ｓｃｅｌｌに対応するビット位置にフラグ「１」が設定されていないと判断し、Ｓｃｅｌｌにおいて、次の「ＳＩ  ｍｏｄｉｆｉｃａｔｉｏｎ  ｂｏｕｎｄａｒｙ」の先頭から、ＢＣＣＨを介して、ＳＩの受信を行わない。
【００５３】
本実施形態に係る移動通信システムによれば、移動局ＵＥが、「ＲＲＣ  ｃｏｎｎｅｃｔｉｏｎ  Ｒｅｃｏｎｆｉｇｕｒａｔｉｏｎ」メッセージによって通知されたビットマップ情報に基づいて、「Ｐａｇｉｎｇ」メッセージ内の「ｓｉ-ＣｈａｎｇｅＢｉｔｍａｐ-ｒ１０」において、Ｓｃｅｌｌに対応するビット位置にフラグが設定されていると判断した場合に、Ｓｃｅｌｌにおいて、次の「ＳＩ  ｍｏｄｉｆｉｃａｔｉｏｎ  ｂｏｕｎｄａｒｙ」の先頭から、ＢＣＣＨを介して、変更されたＳＩを受信するように構成されているため、オーバヘッドの増加を抑制しつつ、「Ｐａｇｉｎｇ」メッセージを用いて、ＳＩが変更されたセルを通知することができる。
【００５４】
なお、ＣＡ通信では、ＰｃｅｌｌやＳｃｅｌｌは、移動局ＵＥ毎に異なっていてもよい。また、同一セルをＰｃｅｌｌとする複数の移動局ＵＥが、それぞれ異なるＳｃｅllを有していてもよい。移動局ＵＥは、自身のＰｃｅllにおいてのみ「Ｐａｇｉｎｇ」メッセージを受信する。
【００５５】
ここで、Ｐｃｅｌｌ毎に、セルと「ｓｉ-ＣｈａｎｇｅＢｉｔｍａｐ-ｒ１０」のビット位置とのマッピングは異なっていてもよい。更には、複数のセルが、同一ビット位置にマッピングされていてもよい。
【００５６】
また、移動局ＵＥは、「Ｐａｇｉｎｇ」メッセージ内の「ｓｉ-ＣｈａｎｇｅＢｉｔｍａｐ-ｒ１０」において、Ｓｃｅｌｌに対応するビット位置にフラグが設定されていると判断した場合に、Ｓｃｅｌｌにおいて、次の「ＳＩ  ｍｏｄｉｆｉｃａｔｉｏｎ  ｂｏｕｎｄａｒｙ」の先頭から、ＢＣＣＨを介して、変更されたＳＩを受信するように構成されているが、Ｓｃｅｌｌの品質劣化などが理由で、かかるＳｃｅｌｌからのＢＣＣＨ受信が直ちに成功しない場合が考えられる。
【００５７】
更新されたＳＩをＳｃｅｌｌから受信する前に、かかるＳｃｅｌｌ上の無線リソースを（例えば、Ｐｃｅｌｌ上のＰＤＣＣＨによって）スケジューリングされた場合は、移動局ＵＥは、かかるスケジューリング情報を無視してもよい。
【００５８】
移動局ＵＥは、更新されたＳＩをＳｃｅｌｌから受信する必要があることを記憶しておき、継続的にＳＩ受信を試みることができる。そして、移動局ＵＥは、ＳＩ受信が成功するまでは、かかるＳｃｅｌｌ上の無線リソースのスケジューリング情報を無視してもよい。
【００５９】
（本発明の第２の実施形態に係る移動通信システム）
図９乃至図１１を参照して、本発明の第２の実施形態に係る移動通信システムの構成について説明する。以下、本実施形態に係る移動通信システムは、上述の第１の移動通信システムとの相違点に着目して説明する。
【００６０】
本実施形態に係る移動通信システムでは、無線基地局ｅＮＢのＲＲＣメッセージ送信部１１は、ＲＲＣ_Ｃｏｎｎｅｃｔｅｄ状態の移動局ＵＥに対して、「ＲＲＣ  ｃｏｎｎｅｃｔｉｏｎ  Ｒｅｃｏｎｆｉｇｕｒａｔｉｏｎ」メッセージによって、移動局ＵＥのＳｃｅｌｌの各々を一意に特定可能なＳｃｅｌｌ-ＩＤのリストを通知するように構成されている。
【００６１】
例えば、ＲＲＣメッセージ送信部１１は、図９に示すように、「ＲＲＣ  ｃｏｎｎｅｃｔｉｏｎ  Ｒｅｃｏｎｆｉｇｕｒａｔｉｏｎ」メッセージ内の情報要素「ＳｃｅｌｌＣｏｎｆｉｇ-ｒ１０」によって、かかるＳｃｅｌｌ-ＩＤのリストを通知するように構成されていてもよい。
【００６２】
また、無線基地局ｅＮＢのページングメッセージ送信部１２は、無線基地局ｅＮＢ配下の特定セルにおけるＳＩが変更された場合、特定セルを特定するＳｃｅｌｌ-ＩＤを含む「Ｐａｇｉｎｇ」メッセージを送信するように構成されている。
【００６３】
かかる場合、具体的には、無線基地局ｅＮＢのページングメッセージ送信部１２は、「ｓｉ-ＣｈａｎｇｅＣｅｌｌｌｉｓｔ-ｒ１０」に、特定セルを特定するＳｃｅｌｌ-ＩＤを設定するように構成されている。
【００６４】
ここで、図１１に、本実施形態に係る移動通信システムで用いられる「ＲＲＣ  ｃｏｎｎｅｃｔｉｏｎ  Ｒｅｃｏｎｆｉｇｕｒａｔｉｏｎ」メッセージ及びＰａｇｉｎｇ」メッセージ内に設定されるパラメータの意味を示す。
【００６５】
一方、本実施形態に係る移動通信システムでは、移動局ＵＥのＲＲＣメッセージ受信部２１は、無線基地局ｅＮＢから、「ＲＲＣ  ｃｏｎｎｅｃｔｉｏｎ  Ｒｅｃｏｎｆｉｇｕｒａｔｉｏｎ」メッセージによって、移動局ＵＥのＳｃｅｌｌの各々を一意に特定可能なＳｃｅｌｌ-ＩＤを受信するように構成されている。
【００６６】
また、移動局ＵＥの報知情報受信部２３は、「Ｐａｇｉｎｇ」メッセージ内に含まれているＳｃｅｌｌ-ＩＤによって特定されるセルが移動局ＵＥのＳｃｅｌｌであると判断した場合に、かかるＳｃｅｌｌにおいて、変更されたＳＩを受信するように構成されている。
【００６７】
本実施形態に係る移動通信システムによれば、移動局ＵＥが、「ＲＲＣ  ｃｏｎｎｅｃｔｉｏｎ  Ｒｅｃｏｎｆｉｇｕｒａｔｉｏｎ」メッセージによって通知されたＳｃｅｌｌ-ＩＤのリストに基づいて、「Ｐａｇｉｎｇ」メッセージ内の「ｓｉ-ＣｈａｎｇｅＢｉｔｍａｐ-ｒ１０」において、Ｓｃｅｌｌを特定するＳｃｅｌｌ-ＩＤが含まれていると判断した場合に、Ｓｃｅｌｌにおいて、次の「ＳＩ  ｍｏｄｉｆｉｃａｔｉｏｎ  ｂｏｕｎｄａｒｙ」の先頭から、ＢＣＣＨを介して、変更されたＳＩを受信するように構成されているため、オーバヘッドの増加を抑制しつつ、「Ｐａｇｉｎｇ」メッセージを用いて、ＳＩが変更されたセルを通知することができる。
【００６８】
以上に述べた本実施形態の特徴は、以下のように表現されていてもよい。
【００６９】
本実施形態の第１の特徴は、移動局ＵＥが、ＰＣＣ（主キャリア）及びＰＣＣと搬送波周波数が異なる１つ又は複数のＳＣＣ（副キャリア）を用いたＣＡ通信を行っている場合に、Ｐｃｅｌｌ（主キャリアのサービングセル）及びＳｃｅｌｌ（副キャリアのサービングセル）においてＳＩ（報知情報）を受信する移動通信方法であって、無線基地局ｅＮＢが、移動局ＵＥに対して、Ｓｃｅｌｌの各々に対応するビット位置を示すビットマップ情報（「ＳｃｅｌｌＣｏｎｆｉｇ-ｒ１０」又は「ＳＩ-ＣｈａｎｇｅＢｉｔｍａｐＣｏｎｆｉｇ-ｒ１０」）を通知する工程Ａと、無線基地局ｅＮＢが、配下の特定セルにおけるＳＩを変更する場合、特定セルに対応するビット位置にフラグ「１」が設定された所定情報（「ｓｉ-ＣｈａｎｇｅＢｉｔｍａｐ-ｒ１０」）を含む「Ｐａｇｉｎｇ」メッセージ（ページングメッセージ）を送信する工程Ｂと、移動局ＵＥが、Ｐｃｅｌｌにおいて、「Ｐａｇｉｎｇ」メッセージを受信する工程Ｃと、移動局ＵＥが、上述のビットマップ情報に基づいて、フラグのビット位置がＳｃｅｌｌに対応するビット位置に一致した場合に、かかるＳｃｅｌｌにおいて、ＳＩを受信する工程Ｄとを有することを要旨とする。
【００７０】
本実施形態の第１の特徴において、工程Ａにおいて、無線基地局ｅＮＢは、ＣＡ通信において、新規にＳＣＣを追加する際に、上述のビットマップ情報を通知してもよい。
【００７１】
本実施形態の第１の特徴において、工程Ａにおいて、無線基地局ｅＮＢは、ＣＡ通信において用いられているＳＣＣの設定情報を変更する際に、上述のビットマップ情報を通知してもよい。
【００７２】
本実施形態の第１の特徴において、工程Ａにおいて、無線基地局ｅＮＢは、ＣＡ通信において用いられるＰＣＣを変更する際に、上述のビットマップ情報を通知してもよい。
【００７３】
本実施形態の第２の特徴は、移動局ＵＥが、ＰＣＣ及び１つ又は複数のＳＣＣを用いたＣＡ通信を行っている場合に、Ｐｃｅｌｌ及びＳｃｅｌｌにおいてＳＩを受信するように構成されている移動通信システムにおいて用いられる無線基地局ｅＮＢであって、移動局ＵＥに対して、Ｓｃｅｌｌの各々に対応するビット位置を示すビットマップ情報を通知するように構成されているＲＲＣメッセージ送信部（通知部）１１と、配下の特定セルにおけるＳＩを変更する場合、特定セルに対応するビット位置にフラグが設定された所定情報を含む「Ｐａｇｉｎｇ」メッセージを送信するように構成されているページングメッセージ送信部１２とを具備することを要旨とする。
【００７４】
本実施形態の第２の特徴において、ＲＲＣメッセージ送信部１１は、ＣＡ通信において、新規にＳＣＣを追加する際に、上述のビットマップ情報を通知するように構成されていてもよい。
【００７５】
本実施形態の第２の特徴において、ＲＲＣメッセージ送信部１１は、ＣＡ通信において用いられているＳＣＣの設定情報を変更する際に、上述のビットマップ情報を通知するように構成されていてもよい。
【００７６】
本実施形態の第２の特徴において、ＲＲＣメッセージ送信部１１は、ＣＡ通信において用いられるＰＣＣを変更する際に、上述のビットマップ情報を通知するように構成されていてもよい。
【００７７】
本実施形態の第３の特徴は、ＰＣＣ及び１つ又は複数のＳＣＣを用いたＣＡ通信を行っている場合に、Ｐｃｅｌｌ及びＳｃｅｌｌにおいてＳＩを受信するように構成されている移動局ＵＥであって、無線基地局ｅＮＢから、Ｓｃｅｌｌの各々に対応するビット位置を示すビットマップ情報を受信するように構成されているＲＲＣメッセージ受信部２１と、Ｐｃｅｌｌにおいて、「Ｐａｇｉｎｇ」メッセージを受信するように構成されているページングメッセージ受信部２２と、上述のビットマップ情報に基づいて、「Ｐａｇｉｎｇ」メッセージ内の所定情報においてＳｃｅｌｌに対応するビット位置にフラグが設定されていると判断した場合に、Ｓｃｅｌｌにおいて、ＳＩを受信するように構成されている報知情報受信部２３とを具備することを要旨とする。
【００７８】
本実施形態の第４の特徴は、移動局ＵＥが、ＰＣＣ及び１つ又は複数のＳＣＣを用いたＣＡ通信を行っている場合に、Ｐｃｅｌｌ及びＳｃｅｌｌにおいてＳＩを受信する移動通信方法であって、無線基地局ｅＮＢが、移動局ＵＥに対して、Ｓｃｅｌｌの各々を一意に特定可能なＳｃｅｌｌ-ＩＤ（セルＩＤ）を通知する工程Ａと、無線基地局ｅＮＢが、配下の特定セルにおけるＳＩを変更する場合、特定セルを特定するＳｃｅｌｌ-ＩＤを含む「Ｐａｇｉｎｇ」メッセージを送信する工程Ｂと、移動局ＵＥが、Ｐｃｅｌｌにおいて、「Ｐａｇｉｎｇ」メッセージを受信する工程Ｃと、移動局ＵＥが、「Ｐａｇｉｎｇ」メッセージに含まれるＳｃｅｌｌ-ＩＤがＳｃｅｌｌに対応するＳｃｅｌｌ-ＩＤに一致した場合に、かかるＳｃｅｌｌにおいて、ＳＩを受信する工程Ｄとを有することを要旨とする。
【００７９】
本実施形態の第５の特徴は、移動局ＵＥが、ＰＣＣ及び１つ又は複数のＳＣＣを用いたＣＡ通信を行っている場合に、Ｐｃｅｌｌ及びＳｃｅｌｌにおいてＳＩを受信するように構成されている移動通信システムにおいて用いられる無線基地局ｅＮＢであって、移動局ＵＥに対して、Ｓｃｅｌｌの各々を一意に特定可能なＳｃｅｌｌ-ＩＤを通知するように構成されているＲＲＣメッセージ送信部１１と、配下の特定セルにおけるＳＩを変更する場合、特定セルを特定するＳｃｅｌｌ-ＩＤを含む「Ｐａｇｉｎｇ」メッセージを送信するように構成されているページングメッセージ送信部１２とを具備することを要旨とする。
【００８０】
本実施形態の第６の特徴は、ＰＣＣ及び１つ又は複数のＳＣＣを用いたＣＡ通信を行っている場合に、Ｐｃｅｌｌ及びＳｃｅｌｌにおいてＳＩを受信するように構成されている移動局ＵＥであって、無線基地局ｅＮＢから、Ｓｃｅｌｌの各々を一意に特定可能なＳｃｅｌｌ-ＩＤを受信するように構成されているＲＲＣメッセージ受信部２１と、Ｐｃｅｌｌにおいて、「Ｐａｇｉｎｇ」メッセージを受信するように構成されているページングメッセージ受信部２２と、「Ｐａｇｉｎｇ」メッセージに含まれるＳｃｅｌｌ-ＩＤがＳｃｅｌｌに対応するＳｃｅｌｌ-ＩＤに一致した場合に、かかるＳｃｅｌｌにおいて、ＳＩを受信するように構成されている報知情報受信部２３とを具備することを要旨とする。
【００８１】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。
【００８２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００８４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８５】
ｅＮＢ…無線基地局
１１…ＲＲＣメッセージ送信部
１２…ページングメッセージ送信部
１３…報知情報送信部
ＵＥ…移動局
２１…ＲＲＣメッセージ受信部
２２…ページングメッセージ受信部
２３…報知情報受信部
【図１】
2011234252.tif 000003
【図２】
2011234252.tif 000004
【図３】
2011234252.tif 000005
【図４】
2011234252.tif 000006
【図５】
2011234252.tif 000007
【図６】
2011234252.tif 000008
【図７】
2011234252.tif 000009
【図８】
2011234252.tif 000010
【図９】
2011234252.tif 000011
【図１０】
2011234252.tif 000012
【図１１】
2011234252.tif 000013
【図１２】
2011234252.tif 000014